(57)【要約】【課題】特性を悪化させることなく、また、コスト、サイズを大きく増加させることなく、消費電力をほとんど増加させることなく、ＥＭＩ規格をクリアしたテレビ受像機を提供する。【解決手段】アンテナ端子１０ａとチューナー１４との間にアイソレータ１２を配置し、アイソレータ１２に並列に定常的に閉の状態にあるスイッチ２４を接続し、ＵＨＦのハイチャンネルにおいてスイッチ２４を開いてアイソレータ１２を機能させる。周波数の高い領域においてアイソレータ１２を有効に機能させるようにしたので、局部漏洩を効率良く阻止することできる。【選択図】        図１
2004180014.tif 000002
【特許請求の範囲】
【請求項１】
特定の受信チャンネルにおいて、アンテナ端子とチューナーとの間に挿入されるアイソレータを備えたことを特徴とするテレビジョン受信機。
【請求項２】
前記特定の受信チャンネルはＵＨＦのハイチャンネルであることを特徴とする請求項１記載のテレビジョン受信機。
【請求項３】
前記アイソレータはアンテナ端子とチューナーとの間に配置され、更に、前記アイソレータに対して並列に接続され、特定の受信チャンネルにおいて開放されるスイッチを備えたことを特徴とする請求項１又は２記載のテレビジョン受信機。
【請求項４】
前記スイッチはダイオードスイッチから構成されていることを特徴とする請求項３記載のテレビジョン受信機。
【請求項５】
チャンネル情報に基づいて前記スイッチの開閉を制御する演算部を備えたことを特徴とする請求項３又は４記載のテレビジョン受信機。
【発明の詳細な説明】
【０００１】
【発明の属する技術分野】
本発明はテレビジョン受信機に関し、特に、局部発振器の発振信号の漏洩の抑制に関する。
【０００２】
【従来の技術】
従来この種のテレビジョン受信機においては、局部発振器の発振信号はアンテナ側に漏洩するので、その漏洩を抑制するようにしたものが提案されている（例えば特許文献１、２）。特に、テレビジョン受信機のようにアンテナを備えたものにおいては、その漏洩信号がアンテナを介して放射されるという不都合がある。この局部発振器の発振信号の漏洩を抑制するために、特許文献１、２においては例えば入力側に増幅器を挿入したり、或いは受動部品であるアイソレータを挿入している。
【０００３】
【特許文献１】
特開平２０００−１５１２７２号公報
【特許文献２】
特開昭６１−６５５７８号公報
【０００４】
【発明が解決しようとする課題】
上述のように、局部発振器の発振信号の漏洩を抑制するために入力側に増幅器を挿入すると、強入力時の飽和や混変調が問題になり、ＰＩＮアッテネータが必要になる。こうした構成は、コスト、サイズ、消費電力の増大につながる。その点に関しては、受動部品であるアイソレータを挿入すればよいが、テレビの受信周波数は帯域が広すぎて、１個のアイソレータで全帯域をカバーすることは事実上不可能である、という問題点があった。
【０００５】
本発明は、このような問題点を解決するためになされたものであり、特性を悪化させることなく、また、コスト、サイズを大きく増加させることなく、消費電力をほとんど増加させることなく、ＥＭＩ規格をクリアしたテレビ受像機を提供することを目的とする。
【０００６】
【課題を解決するための手段】
本発明に係るテレビジョン受信機は、特定の受信チャンネルにおいて、アンテナ端子とチューナーとの間に挿入されるアイソレータを備えたものである。このように構成したことにより、アイソレータの動作帯域幅には制限があるが、特定の受信チャンネル例えば周波数の高い帯域においてアイソレータを機能させて局部発振器の発振信号の漏洩を抑制する。周波数が相対的に低い帯域においては漏洩も相対的に少ないので、結果として、全周波数帯域に亘って局部発振器の発振信号の漏洩量を規格値以下に抑制することができる。従って、本発明によれば特性を悪化させることなく、また、コスト、サイズを大きく増加させることなく、消費電力をほとんど増加させることなく、ＥＭＩ規格をクリアしたテレビ受像機を実現することが可能になっている。
【０００７】
また、本発明に係るテレビジョン受信機において、特定の受信チャンネルはＵＨＦのハイチャンネルである。局部発振器の発振信号の漏洩は周波数が高くなると増大する傾向にあるが、このように構成したことにより、周波数が高いＵＨＦのハイチャンネルにおいてアイソレータを機能させて、発振信号の漏洩を抑制している。
【０００８】
また、本発明に係るテレビジョン受信機において、アイソレータはアンテナ端子とチューナーとの間に配置され、そして、アイソレータに対して並列に接続され、特定の受信チャンネルにおいて開放されるスイッチを備えたものである。このように構成したことにより、スイッチを特定の受信チャンネルにおいて開放し、アイソレータを機能させる。
【０００９】
また、本発明に係るテレビジョン受信機において、スイッチはダイオードスイッチから構成されている。このように構成したことにより、ダイオードスイッチをオン・オフするという簡単な制御だけで、アイソレータを機能させるかどうかを制御することができる。
【００１０】
また、本発明に係るテレビジョン受信機は、チャンネル情報に基づいてスイッチの開閉を制御する演算部を備えている。このように構成したことにより、演算部は特定の受信チャンネルのチャンネル情報が入力されたときに、スイッチを開放してアイソレータを機能させる。
【００１１】
【発明の実施の形態】
実施形態１．
図１は本発明の実施形態１に係るテレビ受信機のチューナー部分を抽出した構成図である。アンテナ１０で受信した信号は、アンテナ端子１０ａを介してアイソレータ１２に供給される。アイソレータ１２の出力はチューナー１４に接続されている。チューナー１４は、ＲＦアンプ１６、ミキサー（混合噐）１８及び局部発振器２０から構成されている。アイソレータ１２にはスイッチ２４が並列に接続されている。スイッチ２４は、定常的には閉の状態になっており、アイソレータ１２が短絡されて機能しないようになっているが、後述のようにＵＨＦのハイチャンネル時に開の状態になり、アイソレータ１２が機能するようになっている。ＣＰＵ２２は、チャンネル情報を受信し、そのチャンネル情報に基づいて、チューナー１４の局部発振器２０の発振周波数を制御するとともに、スイッチ２４の開閉を制御する。なお、アイソレータ１２は、例えば導波管の中に板状や棒状のフェライトを挿入したものであり、一方向にのみ信号が伝送され、逆方向には伝送されない２端子回路であり、その帯域幅は６０ＭＨｚ程度であるから、ＵＨＦのハイチャンネルの帯域において有効に機能することができる。
【００１２】
図２は図１のスイッチ２４の構成を示した回路図である。このスイッチ２４は、コンデンサＣ１、ダイオードＤ及びコンデンサＣ２が直列に接続されており、コンデンサＣ１とダイオードＤとの接続点には抵抗Ｒ１の一方の端子が接続されている。この抵抗Ｒ１の他方の端子にはＣＰＵ２２からの制御電圧（＋Ｖ）が印加される。また、ダイオードＤとコンデンサＣ２との接続点には抵抗Ｒ２の一方の端子が接続されており、この抵抗Ｒ２の他方の端子は接地されている。このスイッチ２４は、ＣＰＵ２２からの制御電圧（＋Ｖ）が抵抗Ｒ１の他方の端子に印加されていない状態においては、ダイオードＤは非導通状態であるため、このダイオードＤを含んだ経路は非導通状態になっており、スイッチ２４は開放されており、アイソレータ１２が機能する状態になる。ＣＰＵ２２からの制御電圧（＋Ｖ）が抵抗Ｒ２の他方の端子に印加された状態においては、ダイオードＤに順方向の電圧が印加されて導通状態になり、コンデンサＣ１、ダイオードＤ及びコンデンサＣ２は短絡回路を構成してスイッチ２４が閉じられた状態になり、アイソレータ１２は短絡されて機能しない状態になる。本実施形態においては、定常的には制御電圧（＋Ｖ）が抵抗Ｒ２に印加されて、スイッチ２４は閉じられた状態になっている。
【００１３】
次に、図１のテレビ受信機の動作について説明する。
ＣＰＵ２４は、例えばリモートコントローラ（図示せず）からチャンネル情報を受信すると、そのチャンネル情報に基づいてチューナー１４の局部発振器２０の局部発振周波数を制御する。アンテナ１０を介して受信した受信信号は、アイソレータ１２を介してチューナー１４に入力し、チューナー１４のＲＦアンプ１６で増幅されてミキサー１８に入力する。ミキサ−１８では、ＲＦアンプ１６からの受信信号の周波数をｆ１とし、局部発振器２０の局部発振周波数をｆ２としたとき、ミキサ−１８からはｆ＝ｆ２−ｆ１の中間周波の信号が得られる。この中間周波の信号は中間増幅器（図示せず）で増幅された後に検波器（図示せず）で復調されることになる。
【００１４】
ここで、ＣＰＵ２４は、例えばリモートコントローラからのチャンネル情報がＵＨＦのハイチャンネルでない場合（例えば６０ＣＨよりも小さい場合）には、制御電圧を出力してスイッチ２４を閉じて、アンテナ１０からの受信信号が、アイソレータ１２を経由せずに、コンデンサＣ１、ダイオードＤ及びコンデンサＣ２からなる短絡回路を経由してＲＦアンプ１６に入力する。このようにして、アイソレータ１２を利用していないので、局部発振器２０の発振信号はミキサー１８及びＲＦアンプ１６を経由してアンテナ１０から放射されることになる。このような発振信号の漏洩は周波数の増大に伴って増大する傾向を示す。つまり、局部発振器２０とアンテナ１０との間の浮遊容量による結合インピーダンスＺはＺ＝１／２πｆＣで表され、周波数ｆが高くなると小さくなり、結合の度合いが大きくなる。また、ＲＦアンプ１６を構成するトランジスタの帰還パラメータ（Ｓ１２）は周波数ｆが高くなると大きくなり、これも結合の増大に寄与することとなる。したがって、チャンネルが大きくなるに従って（周波数が大きくなるに従って）、漏洩量も増大することになる。しかし、例えばＵＨＦのローチャンネルではその漏洩量はＥＭＩの規格を越えないことが確認されている。なお、ＥＭＩ（Ｅｌｅｃｔｒｏ  Ｍａｇｎｅｔｉｃ  Ｉｎｔｅｒｆｅｒｅｎｃｅ）は電磁妨害放射規制であり、主として３０ＭＨｚ〜１０００ＭＨｚの周波数帯域において、他の電子機器への妨害を排除するために、電子機器から漏れ出る電磁気的雑音（電波）の放射、伝搬が規制されている。
【００１５】
次に、ＣＰＵ２２は、例えばリモートコントローラからのチャンネル情報がＵＨＦのハイチャンネル（例えば６０ＣＨ以上）の場合には制御電圧（＋Ｖ）の出力を停止してスイッチ２４を開いて、アンテナ１０からの受信信号をアイソレータ１２を経由してＲＦアンプ１６に入力させる。局部発振噐２０の発振信号は、ミキサー１８、ＲＦアンプ１６及びアイソレータ１２を経由してアンテナ１０から放射することになるが、アイソレータ１２によって阻止されて減衰することになる。したがって、チャンネルがＵＨＦのハイチャンネル（６０ＣＨ以上）の場合においても、その漏洩量はＥＭＩの規格を越えない。
【００１６】
図３は周波数（チャンネル）と局部漏洩量との関係を示した特性図である。同図に示されるように、ＵＨＦのハイチャンネルの領域においては、通常の場合には局部漏洩量が規格を越えることになるが、その領域においてアイソレータ１２を挿入することにより局部漏洩量を減少させて規格を越えないようにしている。
【００１７】
以上のように本実施形態１においては、アンテナ端子１０ａとチューナー１４との間にアイソレータ１２を配置し、アイソレータ１２に並列に定常的に閉の状態にあるスイッチ２４を接続し、ＵＨＦのハイチャンネルにおいてそのスイッチ２４を開いてアイソレータを機能させるようにし、周波数の高い領域においてアイソレータ１２を有効に機能させるようにしたので、局部漏洩を効率良く阻止することが可能になっている。
【００１８】
実施形態２．
なお、上記の実施形態１においては、ＵＨＦのハイチャンネルとして６０ＣＨ以上の場合にアイソレータ１２を挿入する例について説明したが、本発明はそれに限定されるものではなく、テレビ受信機の全帯域幅において局部漏洩量が規格を越えないようにするものであればよい。また、スイッチ２４の例としてダイオードスイッチを用いた例について説明したが、本発明においてはその例に限定されるものではなく、同様な機能を発揮するものであれば他の形式のスイッチを用いてもよい。また、本発明の対象となっているテレビ受信機は、家庭用のものだけでなく、例えばプロジェクタテレビ、携帯機器に内蔵されたテレビ等を含むものである。
【図面の簡単な説明】
【図１】本発明の実施形態１に係るテレビ受信機のチューナー部分を抽出した構成図。
【図２】図１のスイッチの構成を示した回路図。
【図３】チャンネル（周波数）と局部漏洩量との関係を示した特性図。
【符号の説明】
１０  アンテナ、１０ａ  アンテナ端子、１２  アイソレータ、１４  チューナー、２２  ＣＰＵ、２４  スイッチ。
【図１】
2004180014.tif 000003
【図２】
2004180014.tif 000004
【図３】
2004180014.tif 000005